(57)【要約】  不可逆的な反応速度でこれらの熱力学的限界を克服するために、誘電泳動及び流体力学的剪断力を利用した非平衡オン・オフスイッチを有するナノスケールタンパク質センシングプラットフォーム。前記検出感度は、逐次ＤＣ電気泳動及び誘電泳動（ＤＥＰ）を介して２つの平行電極にわたってカーボンナノチューブ（ＣＮＴ）を正確かつ迅速に組み立てることによって抗体−抗原−抗体（Ａｂ−Ａｇ−Ａｂ）複合体の完全会合によって、及び単一ＣＮＴ電子トンネリングコンダクタンスによって、達成される。高い選択性は、整列ＣＮＴの標的リンカーと非標的リンカーの活性化解離剪断速度の間の臨界流体力学的剪断速度によって達成される。【選択図】  図１
2019537010.tif 000002
【特許請求の範囲】
【請求項１】
複数の生体分子の存在を検出する方法であって、：
標的生体分子を含むサンプル溶液を、少なくとも第１の表面を有するナノセンサープラットフォームを通して連続的に流すステップであって、ここで、第１の電極及び第２の表面は、前記第１の表面から距離を置いて変位し、且つ、前記第１の電極に対向する第２の電極を有する、ステップと、
前記第１の電極及び第２の電極上に第１のプローブを提供するステップであって、ここで前記第１のプローブは、標的生体分子に相補的な第１の結合分子を官能化することによって形成される、ステップと、
前記標的と、第２のプローブを包含する導電性担体とを含有する溶液を流すステップであって、前記第２のプローブが前記標的生体分子に相補的な第２の結合分子官能化することによって形成される、ステップと、
前記標的生体分子を、前記導電性担体上の前記第１の電極及び第２のプローブ上の表面上の前記第１のプローブとハイブリダイズさせるステップと、
前記電極に電流を印加するステップと、
前記導電性担体を第１の配向に配置するために、第１の電界を使用するステップと、
前記第１のプローブ又は第２のプローブからの非標的又は弱くハイブリダイズした標的生体分子の少なくとも１つを流体力学的に剪断するステップと、
前記標的生体分子の存在を決定するため、前記電極間の電流を測定することにより、ハイブリダイズしたプローブを評価するステップと、
を含む方法。
【請求項２】
請求項１に記載の前記生体分子の存在を検出する方法であって、
前記第１の電極及び第２の電極に対して直角に配置された第３の電極と、
前記第１の電極及び第２の電極と前記第３の電極との間に、直交する第２の電流を印加するステップと、
前記導電性担体を第２の配向に配置するために、第２の電界を使用するステップと、
をさらに含む、方法。
【請求項３】
請求項２に記載の前記生体分子の存在を検出する方法であって、前記第１の電流又は前記第２の電流は交流である、方法。
【請求項４】
請求項３に記載の前記生体分子の存在を検出する方法であって、前記電界が、前記第１のプローブ及び第２のプローブのハイブリダイゼーションを促進するために直列に使用される前記第１の電流及び前記第２の電流によって形成される方法。
【請求項５】
請求項１に記載の前記生体分子の存在を検出する方法であって、第１の整列における前記導電性担体が前記第１の電極と第２の電極との間の距離を橋渡しする(bridge)、方法。
【請求項６】
請求項１に記載の前記生体分子の存在を検出する方法であって、前記標的核酸生体分子の量を決定するために前記電極間の前記第１の電流を評価することをさらに含む方法。
【請求項７】
請求項１に記載の前記生体分子の存在を検出する方法であって、前記導電性担体がカーボンナノチューブである方法。
【請求項８】
請求項５に記載の前記生体分子の存在を検出する方法であって、前記カーボンナノチューブは、電荷キャリアの添加によって負電荷が増加している方法。
【請求項９】
請求項６に記載の前記生体分子の存在を検出する方法であって、カーボンナノチューブがＤＮＡに結合している、方法。
【請求項１０】
請求項１に記載の前記生体分子の存在を検出する方法であって、ある期間にわたって前記第１の電極と前記第２の電極との間に前記第１の電界が印加されるのを待つことをさらに含む、方法。
【請求項１１】
請求項８に記載の前記生体分子の存在を検出する方法であって、電気泳動は前記標的生体分子を前記第１のプローブと接触させ、誘電泳動は前記第１の電極と第２の電極との間で前記カーボンナノチューブを橋渡しする(bridge)、方法。
【請求項１２】
生体分子の存在を検出するためのナノセンサープラットフォームであって、
第１電極を有する第１表面、及び、前記第１の表面から距離を置いて変位し、且つ、前記第１の電極に対向する第２の電極を有する第２の表面であって、前記第１及び第２の電極は電流源に接続されている、第１の表面及び第２の表面と、
サンプル溶液をナノセンサープラットフォームを貫通して移動させるための流動手段であって、前記サンプル溶液は前記標的生体分子を包含する、流動手段と、
前記第１の電極及び第２の電極上の第１のプローブであって、前記第１のプローブは、標的生体分子に相補的な第１の結合分子を官能化することによって形成される、第１のプローブと、
前記溶液中の導電性担体であって、第２のプローブを包含する前記導電性担体は、前記標的生体分子に相補的な第２の結合分子を官能化することによって形成され、前記第１のプローブ及び第２のプローブが前記標的生体分子にハイブリダイズされる場合、前記第１の電流によって生成された電界は、前記導電性担体を第１の配向に配置する、導電性担体と、
前記第１又は第２のプローブから、非標的又は弱くハイブリダイズした標的生体分子の少なくとも一方を流体力学的に除去するための、せん断手段であって、前記標的生体分子の存在を決定するため、前記電極間の第１の電流を測定することにより、前記ハイブリダイズしたプローブを評価する、せん断手段と、
を含む、ナノセンサープラットフォーム。
【請求項１３】
前記第１及び第２の電極に直交して配置された第３の電極をさらに含む、請求項１２に記載のナノセンサープラットフォームであって、前記第３の電極は、前記第１及び第２の電極と前記第３の電極との間に直交する第２の電流と、第２の配向で前記導電性担体に配置された第２の電界とを伝導するように構成される、ナノセンサープラットフォーム。
【請求項１４】
請求項１２に記載のナノセンサープラットフォームであって、前記電極間の前記第１の電流の値が前記標的核酸生体分子の量を決定するためのものである、ナノセンサープラットフォーム。
【請求項１５】
前記導電性担体がカーボンナノチューブである、請求項１２に記載のナノセンサープラットフォーム。
【請求項１６】
前記カーボンナノチューブは、電荷キャリアの添加によって負電荷が増加している、請求項１５に記載のナノセンサープラットフォーム。
【請求項１７】
前記カーボンナノチューブがＤＮＡに結合している、請求項１６に記載のナノセンサープラットフォーム。
【請求項１８】
前記第１の電界が、ある期間にわたって前記第１の電極と前記第２の電極との間の前記第１の電流によって引き起こされる、請求項１２に記載のナノセンサープラットフォーム。
【請求項１９】
電気泳動が前記標的生体分子を前記第１プローブと接触させ、誘電泳動が前記第１電極と前記第２電極との間で前記カーボンナノチューブを橋渡しする(bridge)、請求項１２に記載のナノセンサープラットフォーム。
【発明の詳細な説明】
【技術分野】
【０００１】
関連出願の相互参照
本出願は、「超高感度／選択的タンパク質検出のための剪断強化ＣＮＴ−ＤＥＰナノセンサープラットフォーム」と題された、２０１６年１１月１４日に出願された米国仮出願第６２／４２１，４６２号及び「超高感度／選択的タンパク質検出のための剪断増強ＣＮＴ−ＤＥＰナノセンサープラットフォーム」と題された、２０１７年４月１２日に出願された米国仮出願第６２／４８４，７５８号から優先権を主張する非仮出願である。これらのそれぞれは、その全体が参照により本明細書に組み込まれる。
【０００２】
開示の分野
本明細書は、概して、ナノスケールバイオマーカーによるタンパク質検出に関する。
【背景技術】
【０００３】
関連技術の背景
タンパク質検出のための従来のゴールドスタンダードアッセイは、酵素結合免疫吸着アッセイ（ＥＬＩＳＡ）である。しかし、このアッセイは、ほとんどの抗体−抗原対の高い解離定数ＫＤのために多くの臨床サンプルに必要な検出感度を欠いており、抗体−抗原（Ａｂ−Ａｇ）複合体をＫＤより低い標的濃度では熱力学的に不利にする。ほとんどの抗体は低いμＭからｎＭ範囲までのＫＤを有するので、ｐＭの範囲の少数の高親和性抗体では、ｐＭより低い検出は従来のデバイスでは手が届かないと考えられる。さらに、従来のＥＬＩＳＡの検出ダイナミックレンジは、平衡時の標的飽和の結果として、２〜３桁の大きさであることが多い。この低いダイナミックレンジのアッセイは、血清、血液又は尿中で４桁を超えて変化するｉｎ  ｖｉｖｏ生理学的タンパク質濃度とは両立しない。選択性の欠如は、偽陽性につながる従来のＥＬＩＳＡアッセイに関する別の問題である。例えば、膀胱がんの尿中タンパク質バイオマーの誤検出は、３１％にもなる。偽陽性は、同様のＫＤを有する非標的によって引き起こされ、それはアッセイ中の従来の洗浄ステップによって除去することができない。標的と非標的との間にＫＤに有意差があったとしても、非標的タンパク質の濃度が標的のそれを何桁も超える場合、低存在量の標的は抗体について競合することができない。したがって、高感度、選択性及び広いダイナミックレンジを有する一般的なタンパク質検出プラットフォームの開発は、現在の市販の抗体による未処理の生理学的サンプル中の任意のタンパク質標的の検出及び定量化を可能にするだろう。
【０００４】
ナノスケールの電気化学イムノアッセイは、バイオマーカーの高感度でありながら簡単かつロバストな検出に新たな展望を開く。特に、ＣＮＴセンサーは広い電気化学ウィンドウ、速い電子移動速度、及び生体適合性を提供するため、電気化学的分子認識の優れた候補となる。検出限界は２５０ｐＭまでであるというＣＮＴ−ＦＥＴ無標識タンパク質バイオセンサーがＭａｅｈａｓｈｉらによって報告された。ＣＮＴ−ＦＥＴのソース−ドレイン電流は抗体又はアプタマー官能化表面上でのタンパク質のドッキングとともに変化するので、検出はＣＮＴ−ＦＥＴのソース−ドレイン電流を測定することによって定量化される。ごく最近、Ｇｏｍｅｓ−Ｆｉｌｈｏ  ｅｔ  ａｌ．セイヨウワサビペルオキシダーゼ（ＨＲＰ）結合検出抗体を用いた酵素増幅技術を用いることにより、抗体官能化ＣＮＴ  ＥＬＩＳＡセンサーの場合の検出限界を克服した。このようにして、電流測定シグナルは、０．０３３  ｎｇ／ｍＬ（約１ｐＭ）の検出限界で最適なｐＨ及び緩衝液濃度の下で増幅される。他方、Ｐａｎｄｉａｒａｊらは、システムに酸化還元種Ｆｅ（ＩＩＩ）／Ｆｅ（ＩＩ）をドープした。これにより電荷移動抵抗Ｒｃｔが減少して感度が改善された。
【図面の簡単な説明】
【０００５】
図面の簡単な説明
【図１】図１Ａは、本開示の教示によるタンパク質検出のための一次元ＣＮＴスイッチナノセンサープラットフォームの概略図である。  図１Ｂは、いずれの標的物質なしでその「オフ」又は平衡状態にある図１Ａの例示的なナノセンサープラットフォームを示す。  図１Ｃは、標的材料を加えた図１Ａの例示的なナノセンサープラットフォームを示す。  図１Ｄは、直流電場の下で例示的な検出ナノチューブの整列を示す、図１Ａの例示的なナノセンサープラットフォームを示す。図１Ｅは、交流電場の下での例示的な検出ナノチューブの整列を示す図１Ａの例示的なナノセンサープラットフォームを示す。  図１Ｆは、選択性を高めるために流体力学的剪断のプロセスを受けている図１Ａの例示的なナノセンサープラットフォームを示す。  図１Ｇは、結合した標的分子のみを有する図１Ａの例示的なナノセンサープラットフォームを示す。
【図２】図２Ａは、本開示の教示による例示的なナノセンサープラットフォームと、ＳＥＭ画像に示されているオフ又は標的なしの状態（ａ）及びオン又は標的有りの状態（ｂ）を示す挿入図との比較を示す。  図２Ｂは、例示的なナノセンサープラットフォームのオフ状態及びオン状態の電流（ナノアンペア単位）のグラフである。  図２Ｃは、ＤＣ／ＡＣ堆積技術が使用されるときの、ＣＮＴ数に関する電流信号間の相関関係を示す。
【図３】図３Ａは、３つの異なる堆積方法、ＤＣ、ＡＣ、及びＤＣ＋ＡＣ、による電流変化を示す。  図３Ｂは、ＡＣアシスト堆積後に電流が測定されたことを示すグラフである。  図３Ｃは、ＤＣアシスト堆積後に電流が測定されたことを示すグラフである。
【図４】図４Ａは、不可逆的剪断後の標的及び非標的インキュベーションの選択性の結果を示す。  図４Ｂは、ストレプトアビジン濃度の検量線を示し、ここで検出限界は１００ａＭであり、そしてダイナミックレンジは５桁の大きさである。
【図５】図５Ａは、検出限界が１０ｆＭであり、ダイナミックレンジが５桁の大きさである、異なるＨＥＲ２濃度の較正曲線を示す。  図５Ｂは、ＨＥＲ２標的との、標的及び非標的インキュベーションの選択性の結果を示す。
【図６】図６は、ヒト血清中に添加された(spiked)ＨＥＲ２の検量線を示し、ここで、検出限界は１００ｆＭであり、そしてダイナミックレンジは４桁である。
【発明を実施するための形態】
【０００６】
詳細な説明
例示的な方法及び装置の以下の説明は、説明の範囲を本明細書に詳述された正確な形態又は複数の形態に限定することを意図するものではない。代わりに、以下の説明は、他の人がその教示に従うことができるように例示的であることを意図している。
【発明の概要】
【発明が解決しようとする課題】
【０００７】
本開示のデバイスは、生体分子、特にタンパク質の、敏感で、選択的、迅速かつ手頃な価格の検出を提供し、疾患進行の早期発見／診断／スクリーニング及びモニタリングにおける用途を有する。それは、一般的に２つの明確な障害、すなわち、高い解離平衡定数ＫＤに起因する感度の欠如及び類似のＫＤを有する非標的の豊富さに起因する非特異性、に悩まされている不均一媒体中の低濃度タンパク質の検出及び定量化を可能にする。本明細書では、非平衡オン・オフスイッチを有するナノスケールタンパク質感知プラットフォームは、不可逆的な動力学でこれらの熱力学的限界を克服するために誘電泳動的及び流体力学的剪断力を使用する。開示された実施例では、検出感度は、順次ＤＣ電気泳動及び誘電泳動（「ＤＥＰ」）を介して、そして、単一ＣＮＴ電子トンネリングコンダクタンスを用いて、２つの平行電極にわたってカーボンナノチューブ（「ＣＮＴ」）を正確かつ迅速に集合させることによって抗体−抗原−抗体（Ａｂ−Ａｇ−Ａｂ）複合体の完全会合によって達成される。開示された例では、高い選択性は、整列ＣＮＴの標的リンカーと非標的リンカーの活性化解離剪断速度の間の臨界流体力学的剪断速度によって達成される。純粋サンプル中の１００アトモル（ａＭ）及び１０フェムトモル（ｆＭ）の検出限界が、それぞれ低い解離定数及び高い解離定数を有する２つのＥＬＩＳＡアッセイについて達成された、即ち、ビオチン／ストレプトアビジン（１０ｆＭ）及びＨＥＲ２／ＨＥＲ２抗体（０．４４±０．０７ｎＭ）。どちらのモデルでも、不可逆的なキャプチャとせん断により、ＣＮＴ数を増やすことでダイナミックレンジを最大５桁(5  decades)まで調整することができる。標的ＨＥＲ２タンパク質に対するスパイク血清サンプルの高い選択性は、同様のＫＤの非標的ＨＥＲ２アイソフォームに対して実証されている。血清中のＨＥＲ２の検出限界は１００ｆＭ未満である。
【課題を解決するための手段】
【０００８】
ここで図１Ａ〜図１Ｄを参照すると、本開示の例示的なナノセンサープラットフォーム１０が示されている。具体的には、２つの主要な非平衡ステップを用いるオープンフローＣＮＴオンオフスイッチベースの生体分子検出プラットフォームの概略図である。ナノセンサープラットフォーム１０は、２つの下部電極、第１の電極１０２Ａ及び第２の電極１０２Ｂ、ならびに上部電極１０２Ｃから構成され、それらはすべて電流源１０４に接続されている。ポリクローナル捕捉抗体１０６は電極１０２Ａ、１０２Ｂの表面において官能化される。電極１０２Ａ、１０２Ｂの上には、標的１０８、非標的１１０、及び導電性担体として作用するカーボンナノチューブ１１２を含有する溶液があり、これらはＤＮＡ鎖１１４に包まれてモノクローナル検出抗体１１６に固定されている。
【０００９】
図１Ｂは、いずれの標的が追加される前の「オフ」状態にあるナノセンサープラットフォーム１０を示す。この研究において例示的なナノセンサー１０用に設計された金電極は、フォトリソグラフィーによってパターン化された。電極は、化学堆積又は他の任意の適切な方法によっても形成され得る。
【００１０】
例示的なナノセンサープラットフォーム１０では、電極１０２Ａ、１０２Ｂ、及び１０２Ｃは、プラットフォーム１０を横切って流れるマイクロ流体溶液に電界を印加するように配置されている。第１の電極１０２Ａは、ナノセンサープラットフォームの支持体を含むチップの第１の表面に位置決めされる。第２の電極１０２Ｂは、第１の表面から距離を置いてずれた第２の表面上に位置決めされ、第２の電極１０２Ｂを第１の電極１０２Ａに一方向に対向させて配置する。上部電極１０２Ｃは、第１及び第２の表面の上の第３の表面上に位置決めされ、それは上部電極１０２Ｃを第１及び第２の電極１０２Ａ、１０２Ｂの両方と反対側に第１の方向と直交する方向に置く。金属堆積の前に、スライドガラスを塩基性ピラニア溶液(base  piranha)に３分間浸し、ＤＩ水で十分に洗浄した。１μｍギャップサイズの電極を製造するために、パターンマスクを３００ｍｍの両面Ｔａｆｉｏｎ(商標)絶縁テープから製造し、次いでマスクを２０ｎｍのＣｒ及び１７５ｎｍの金の電子ビーム蒸着（Ｏｅｒｌｉｋｏｎ  Ｌｅｙｂｏｌｄ８ポケット電子ビーム、デュアル熱蒸発システム）のためにガラス上にテープで貼った。マスクを除去した後、集束イオンビーム装置を用いて幅１μｍ、長さ５５０μｍのギャップを作った。次に、ギャップ内のいずれの余分なＣｒを除去するため、チップをＣｒエッチング液に４秒間浸した。３μｍギャップサイズの電極を製造するために、電子ビーム蒸着下でチップを２０ｎｍのＣｒ及び１７５ｎｍの金で被覆した。次いで、チップをＳｈｉｐｌｅｙ  ｓ１８１３フォトレジストの層でスピンコートし、マスクアライナ（Ｋａｒｌ  Ｓｕｓｓ  ＭＪＢ−３  コンタクトマスクアライナ）によって３μｍ幅のギャップを有するマスクの下で順次露光した。チップをＡＺ  ９１７  ＭＩＦで現像し、続いて９０℃で６０秒間ハードバックした(a  hard  back)。チップをＣｌ２／ＢＣｌ３（ＩＣＰ、６分、２００Ｗ）でドライエッチングし、３秒間湿式金エッチングした。最後に、Ｃｒ層をＣｒエッチャントにより除去し、続いて過剰のフォトレジスト層を除去するために連続的にエタノールで洗浄した。
【００１１】
上部電極１０２Ｃは、１ｍｍ×１５ｍｍのアルミニウムホイルを２０ｍｍ×２０ｍｍのガラススライドの中心に置くこと、そしてＴａｆｉｏｎ(商標)絶縁テープでシールすることによって作製した。次いで、スライドガラスに、幅８００μｍ、長さ２０ｍｍのＰＤＭＳチャンネルを取り付けた。
【００１２】
再び図１を参照する。図１Ｂでは、静電引力によって標的生体分子を捕捉するために選択されたプローブが電極上に配置される。示される例において、このナノ構造は、電極１０２Ａ、１０２Ｂ上で官能化されているポリクローナル捕捉抗体１０６である。開示されたナノセンサープラットフォーム１０の一例では、１１−メルカプトウンデカン酸(mercaptoundonaic  acid)を９５％のアルコールに溶解して５ｍＭのチオール溶液を作製した。ｐＨをＨＣｌで２に調整した後、１μｍ幅のギャップを有する電極担持チップを溶液中の空気を除去するために５分間Ｎ２ガスでパージしながら溶液中でインキュベートした。電極担持チップをインキュベートし、次に３０％出力で６分間超音波処理することによりアクセスチオール層を除去するために３０ｍｌの９５％アルコール溶液に移した。窒素銃でチップを注意深く乾燥した後、直径２ｍｍの幅のsilicon  isolatorを分離した電極の上でチップに取り付けた。チオール層上のＣＯＯＨ基と２５分間反応させるため、１００ｍＭ  ＥＤＣの２０μＬを加えた。いずれの未反応のＥＤＣを除去するために、チップを２０μＬのＭＥＳ溶液で３回すすいだ。金電極上にビオチンを官能化するには、以下の図２Ａ〜Ｃに関して以下に論じるナノセンサープラットフォーム１０の例に関しては、ＭＥＳ溶液中の５０ｍＭビオチンの２０μＬを添加し、４時間インキュベートした。金電極上に捕捉（ポリクローナル）HER2抗体を官能化するには、以下の図３Ａ〜図３Ｂに関して以下で論じる例に関しては、１×ＰＢＳ中の０．０９ｍｇ／ｍＬポリクローナルＨＥＲ２抗体２０μｌを添加し、そして４時間インキュベートした。
【００１３】
図１Ｃ及び１Ｄを参照すると、それは溶液中の標的（図１Ｃ）及び導電性担体を示す。図示の例では、キャリアは導電性担体として作用するカーボンナノチューブ１１２である。モノクローナル捕捉抗体１１６を付着させたナノチューブ１１２を溶液中に導入する。モノクローナル捕捉抗体１１６は、静電気を介して標的生体分子に強く結合するように適合されている。モノクローナル捕獲抗体１１６は、ポリクローナル捕獲抗体１０６と協働して両方が同時に同じ標的生体分子に結合し、及びそれによってナノチューブ１１２を電極１０２Ａ、１０２Ｂの表面に接続するように構成される。このようにして、標的の存在を検出するため、大きな導電性担体を用いることができ、及び存在する場合、電流を流すことができる。
【００１４】
ナノセンサープラットフォーム１０の一例において、１〜３μｍ  ＣＯＯＨ−ＳＷＣＮＴの４ｍｇを６ｍＬのＤＩ水に加えて溶液を作成し、この溶液を、Ｑｓｏｎｉｃａ音波処理器を用いて４０％パワー（１０ワット）下で２分間、１秒間(1s)のパルス及び１秒間(1s)の休止で超音波処理した。次に溶液を１８３３４ｇで９０分間遠心分離した。ＣＮＴ溶液の上部１ｍＬをＣＮＴ官能化用のストック溶液として集めた。この例のＣＮＴは長さが１〜３μｍであるので、例示的センシング研究では、ナノセンサープラットフォーム１０を担持するチップは、ブリッジ（bridging)）が可能なＣＮＴの１００％を得るために、１μｍのギャップで製造される。
【００１５】
図１Ｄに示されるように、ブリッジＤＮＡラッピング及び検出（モノクローナル）抗体官能化カーボンナノチューブ１１０は、２つの電極１０２Ａ、１０２Ｂを横切って接続するのに十分に長いサイズで導入される。この実施例で試験した一本鎖ＤＮＡは、分子量が８８９８．８ｇ／ｍｏｌの５‘ＴＧＧ  ＴＴＣ  ＴＣＴ  ＣＣＧ  ＡＡＡ  ＴＡＧ  ＣＴＴ  ＴＡＧ  ＧＧの配列であった。しかしながら、ＣＮＴに結合したモノクローナル抗体に結合することができるように、多種多様なＤＮＡ標的が考慮される。多種多様なＤＮＡ標的が考慮される。カーボンナノチューブ１１２は、１×ＰＢＳなどの溶液中にＣＮＴを効率的に分散させるためにＤＮＡストランド１１４で包まれている。本開示で試験した実施例のナノチューブ１１０においてこの補助分散を達成するために、１ｍＬのストックＣＮＴ溶液からの分散ＣＮＴの４０μＬを１ｍＭ  ｓｓＤＮＡ溶液の４０μＬと混合した。ナノチューブ１１０のサンプルを次に、Ｑｓｏｎｉｃａ音波処理器を用いて２０％パワーで１秒間のパルス及び１秒間の休息で５分間の超音波処理のために配置した。ＤＮＡは、ＣＮＴの側壁を非特異的に結合／包み込み、したがってＣＮＴ上の負電荷を増大させ、それらを１×ＰＢＳ中に容易に分散させる。
【００１６】
以下に論じる実施例においてビオチン又はＨＥＲ２のような標的生体分子に結合させるため、モノクローナル検出抗体１１６をカーボンナノチューブ１１０の表面に付着させる。本開示において試験されたナノセンサープラットフォーム１０の例では、これは、ＭＥＳ溶液中のＥＤＣの１０μＬを溶液に添加してＣＮＴ上のＣＯＯＨ基と反応させることによって達成された。そしてこの溶液を２０％パワーで、１秒間のパルス及び１秒間の休止で５分間、Ｑｓｏｎｉｃａ音波処理器で超音波処理した。以下の図２Ａ〜Ｃに関して以下に論じるナノセンサープラットフォーム１０の例のようにＣＮＴ上にビオチンを官能化するためには、次いで、ＭＥＳ溶液中の５０ｍＭビオチンの１０μｌを添加してＣＮＴ上のＣＯＯＨ基を２時間結合させ、そしてこの溶液を回転子で穏やかに混合した。最後に、溶液を透析キットに移して、結合していないビオチンとＥＤＣを６．５時間除去した。透析溶液を収集し、ビオチン官能化ＣＮＴ原液として使用した。以下の図３Ａ〜図３Ｃに関して後述するナノセンサープラットフォーム１０の例のように、検出（モノクローナル）ＨＥＲ２抗体をＣＮＴ上で官能化するため、１×ＰＢＳ溶液中の０．０５ｍｇ／ｍＬモノクローナルＨＥＲ２抗体の１０μＬを添加して２時間ＣＯＯＨ基に結合させた。２時間の間に、溶液を回転機で穏やかに混合した。最後に、実施例の溶液を１３．３ｇの速度で５分間遠心分離し、そして上清を収集し、そしてＨＥＲ２抗体官能化ＣＮＴストック溶液として使用した。
【００１７】
再び図１Ｄを参照する。カーボンナノチューブ１１２は、電極１０２Ａ、１０２Ｂの電気力によって整列させることができる。これは、ＣＮＴがＡｇ電極の表面上のポリクローナル抗体に引き寄せられるので、電極の上にＣＮＴを素早く引き付けて整列させるＤＣ電気泳動によって最初に駆動される不可逆的な集合現象によって達成される。ＤＣ電界は、ここで印加される高電界と共に比較的長い範囲を有するので、負に帯電したＣＮＴの大部分は、１分以内に電極に引き付けることができる。それらの静電反発力は、ＤＣ電場力線に沿って垂直に整列したＣＮＴ間で等しい間隔を維持する。
【００１８】
例示的なナノセンサープラットフォーム１０では、裸の金電極上にＤＣ及びＡＣ  ＤＥＰプロトコルを誘導するのに、整列プロセスはＤＣ及びＡＣを使用する。試験例のナノセンサープラットフォームでは、分散したＣＮＴを脱イオン水で１０，０００倍に希釈し、そして分散したＣＮＴ溶液の５μＬを３μｍ幅の金電極上に異なる堆積プロトコルの下で整列させるためにチャネルにロードし、そして３つのプロトコル全てについて堆積時間は５分であった。１００ＶのＤＣ電圧を印加し、５ＭＨｚで５ＶのＶｐｐ値を有するＡＣ電圧を印加した。
【００１９】
図１Ｅを参照する。図１Ｅに示されるように、ＡＣ  ＤＥＰが活性化されてＣＮＴを水平方向に迅速に整列させ、その結果、２つの電極のブリッジ及びＡｂ−Ａｇ−Ａｂ  ＣＮＴ複合体の形成がもたらされる。ブリッジＣＮＴはシステムをスイッチ「オン」モードに変換し、ＣＮＴ電子トンネリングによって電流を伝導する。
【００２０】
図１Ｆに示すステップは、流体力学的剪断による検出の選択性を向上させる。高アスペクト比を有する円筒状ＣＮＴ上のクロスフローによって大きな流体力学的抗力が生じるため、選択的に非標的又は非標的結合ＣＮＴが臨界流動剪断速度下で除去される。残りの整列した標的−抗体結合ＣＮＴは、図１Ｇに示すように標的（ＣＮＴ）数と相関するであろう電流シグナルを生成するであろう。
【００２１】
ナノセンサープラットフォーム１０の例では、抗体−抗原対としてビオチン−ストレプトアビジンを用いる場合の流体力学的剪断流の流速の最適化を行った。四隅に固定された四つのクランプで上部電極をチップに取り付けた後、ビオチン官能化ＣＮＴの５μＬをチャネルに装填した。上部電極と２つの下部電極を接続することによって１００ＶのＤＣ電圧を最初に垂直に５分間印加し、次に５ＭＨｚで５ＶのＶｐｐ値で１５分間、下部電極１０２Ａ、１０２Ｂを接続する水平ＡＣ電圧に素早く切り替えた。ビオチン官能化ＣＮＴを両方向の電流で整列させた後、１×ＰＢＳ溶液を含むシリンジをチャネルに接続して、非特異的に結合した非標的ＣＮＴを剪断除去した。０．５ｍＬ／分の最適速度を見出すために異なる剪断速度を試験した。次に、最適剪断速度下で除去百分率を試験するため、様々な濃度のＣＮＴを堆積させた。剪断の百分率は、剪断前後の電流変化に基づいていた。そして全ての電流測定は、Ｇａｍｒｙ  Ｐｏｔｅｎｔｉｏｓｔａｔ  ６００を用いて１Ｖで行った。
【００２２】
図１Ｇを参照する。残りのナノチューブは標的の検出に役立つ。ＤＣ及びＡＣ誘電泳動電界強度、標的インキュベーションタイム、剪断緩衝剤効力、ＣＮＴ濃度、ならびに電極面積は、ナノセンサープラットフォーム１０の性能を改善するために変動すると考えられる。
【００２３】
図２Ａは、ＣＮＴが電流レポーターとして働く、これらの研究で使用されるスイッチオン及びオフ状態の一例の概略図を示す。逐次ＤＣ及びＡＣ  ＤＥＰプロトコルを使用してＣＮＴの整列を試験するために、３μｍで、図２Ａに示される平行で清浄な金電極上で上述した方法を検証する予備研究が行われた。「スイッチオン」状態の整列ＣＮＴは、図２Ｂに示すチャートに示されるように、１Ｖの「スイッチオフ」状態の電流信号よりも５桁大きい電流信号を生成する。そのような大きな電流差は、「スイッチオン」状態でのＣＮＴと電極との間の非常に敏感で効果的なコンダクタンスを実証する。大きな電流差は、電極での電気化学反応からの測定可能な寄生電流なしに、電流がもっぱらＣＮＴブリッジによって運ばれるので、「スイッチオフ」状態で非常に低くかつ安定したベースライン電流に寄与する。その結果、ベースライン電流はＣＮＴが存在しない場合は無視できるほど小さく、且つ、ｐＨ、緩衝液イオン強度、又は緩衝液の種類などの他の条件に対しては不活性のままである。異なる堆積濃度下でのＣＮＴ配列のＳＥＭ画像は、ＣＮＴのほとんどが凝集することなく電極を横切って平行にブリッジして整列していることを示しており、電極の端部付近のいずれの小さな凝集は、イメージング前の溶媒の蒸発によるものである。ＣＮＴの長さは１〜３μｍの間であるので、電極を橋渡しする(bridge)ことができないより短い長さのＣＮＴがある。
【００２４】
しかしながら、ブリッジＣＮＴはそのような良好な整列を有していた。そしてブリッジＣＮＴの数は容易に推定され、そして図２Ｃに示された対応する電流に対してプロットされた。図２Ｃは、線形回帰から０．９９の相関係数で、整列したＣＮＴの数と電流との間の線形関係を示す。我々のデータを単一のＣＮＴに外挿した場合、したがって、ＣＮＴと複合体を形成していない電極上のものも含めて、サンプル体積１０μＬの単一カーボンナノチューブ上に平均２〜２０００個の抗原がある場合、理論上の検出限界はａＭ〜ｆＭになる。ダイナミックレンジも最大６桁まで拡大し、且つ、ギャップサイズを小さくすること、及び金電極上のポリクローナル抗体密度と付着したＣＮＴの数とを増やすことにより、さらに拡大することができる。よって、このプラットフォームの低い検出限界と広いダイナミックレンジとは、異なる濃度でタンパク質バイオマーカーの広範囲を検出することを可能にする。
【００２５】
ここで図３Ａ〜図３Ｃを参照する。電極対を横切ってＣＮＴを個々の平行な且つ厳しく統制されたブリッジに組み立てるためのＤＣ堆積及びＡＣ整列を最適化するため、ＤＣ、ＡＣ及びＤＣ／ＡＣ  ＤＥＰ堆積を組み合わせたものを試験した。同じ堆積時間及び同じＣＮＴ濃度の下で、異なる方法から測定された電流の結果を図３Ａに提示する。ＤＣ及びＡＣ  ＤＥＰ堆積を組み合わせたものが最も高い電流を示し、これはＡＣ堆積単独の場合の約５倍多い。ＡＣ  ＤＥＰのプロセスは短距離場に存在するので、ＡＣ  ＤＥＰ範囲の外側にあるＣＮＴは電界勾配を感じず、電極間で整列しないであろう。ＤＣ電気泳動は長距離であり、全てのＣＮＴを平行な金電極に引き付けることができるが、それだけでは電極を横切ってＣＮＴを橋渡しすることができず、それはなぜＤＣ堆積に電流変化がないのかを説明する。そのため、最大数のＣＮＴを金電極に引き付けて組み立てることができるのは、ＤＣ及びＡＣ  ＤＥＰの連続堆積を使用した場合だけである。
【００２６】
ここで図３Ｂを参照すると、最適なＤＣ及びＡＣ堆積時間を見出すための研究が行われた。図３Ｂは、同じＤＣ時間の下で、整列したＣＮＴの量がＡＣ  ＤＥＰ時間と共に増加することを示す。しかし、電流は徐々にプラトーに達し、１５分の最適ＡＣ時間を示す。他方、５分の同じＡＣ時間の下で、ＤＣ時間は図３Ｃで最適化される。５分間のＤＣ印加後、電流はプラトーに達する。合わせて、ＤＣ及びＡＣ  ＤＥＰ堆積時間を組み合わせるための最適時間は約２０分であり、これは従来のＥＬＩＳＡアッセイについての拡散律速検出抗体インキュベーションよりはるかに短い。さらに、開示されたこう見合わせたＤＣ及びＡＣ  ＤＥＰ堆積技術は、熱力学的平衡値をはるかに超えて、本質的にすべての検出抗体官能化ＣＮＴを金電極上の標的と結合することを強いる。
【００２７】
本開示の教示に従って開示されたプラットフォームの実現可能性を調べるため、その感度及び選択性を確認するために、ストレプトアビジンとビオチンの対を図４Ａ〜４Ｂに示す例示的な系として使用した。実施例におけるビオチンとストレプトアビジンの対は、実際の臨床サンプル中の抗原−抗体の対と比較して非常に強い結合親和性を有する。ビオチンとストレプトアビジンの解離定数は１０ｆＭであり、結合は広範囲のｐＨと温度にわたって安定している。ビオチンを捕捉抗体及び検出抗体の両方として使用し、そして純粋なストレプトアビジンを標的として使用した。
【００２８】
この実施例では、ビオチン溶液を使用準備が整うまで４℃の冷凍庫に保存し、ストレプトアビジンは−２０℃で保存した。サンプルは使用前に０℃でゆっくり溶解した。ビオチンを官能化するために、１０．８６１ｇのＭＥＳナトリウム塩を５００ｍｌの脱イオン水に溶解することによって０．１ＭのＭＥＳ（ｐＨ５．５）を調製し、そしてｐＨを０．５ＭのＮａＯＨで調整した。１００ｍＭのＥＤＣ溶液を、１９ｍｇのＥＤＣをＭＥＳ溶液の１ｍＬに溶解することによって作製し、５０ｍＭのビオチン溶液を、ＭＥＳ溶液１ｍＬ中の１９ｍｇのビオチンと共に調製した。異なる濃度のストレプトアビジンを１×ＰＢＳに溶解した。流体力学的剪断が標的ストレプトアビジンに対して選択的であることを実証するために、実験はストレプトアビジンを含む又は含まないチップ上で設計された。
【００２９】
ナノセンサープラットフォーム１０の例では、標的、この場合ストレプトアビジン、の検出は、ストレプトアビジン溶液の２０μＬを使用して達成され、ビオチン官能化チップ上に添加し、そして室温でインキュベートした。インキュベーション後、非結合ストレプトアビジンを除去するため、チップを１×ＰＢＳで３回すすいだ。ビオチン抗体官能化ＣＮＴ溶液の１０μＬを０．１×ＰＢＳで１０，０００倍、１００，０００倍、及び１，０００，０００倍に希釈した。次に、上部電極をチップに取り付け、ＤＣ及びＡＣ誘電泳動支援配置下で電極を整列及び橋渡しする(bridge)ため、希釈ビオチン抗体官能化ＣＮＴの５μＬをチャネルに装填した。１００ａＭ及び１ｆＭを検出するために、ストレプトアビジンについては、１，０００，０００倍希釈のＣＮＴ溶液を堆積させた。１０，０００倍希釈のＣＮＴを１０ｆＭ及び１ｐＭのために使用した。１０，０００倍及び１，０００倍希釈のＣＮＴをそれぞれ１０ｐＭ及び１００ｐＭのために使用した。１×ＰＢＳを用いて０．５ｍＬ／分で２０分間せん断した後、電流を、Ｇａｍｍｒｙを用いて１Ｖで測定した。
【００３０】
ここで図４Ａを参照すると、例示のビオチン−ストレプトアビジン検証の電流結果が示されている。ビオチン官能化ＣＮＴを整列させた後、開示されたフローステップ（図１Ｆに関して上述した）は、いずれのストレプトアビジンにも結合していないＣＮＴを不可逆的に除去するであろう。図４Ｂは、同じＣＮＴ堆積下で、ストレプトアビジンをインキュベートしない場合、０．５ｍＬ／分の流速でＣＮＴを９９％を超えて除去できることを確認した。ストレプトアビジンをインキュベートする場合、標的は強い結合力で電極上にＣＮＴを保持することができ、せん断下でＣＮＴにかかる抗力に耐えることができる。さらに、図４Ｂは、インキュベートするストレプトアビジンがより高濃度であるほど、より多くの標的抗体ＣＮＴ複合体が形成されてより高い電流が生じることを示している。従って、実験結果は、流動剪断が非標的結合ＣＮＴを選択的に除去することができることを支持する。選択性は流動剪断速度に直接関係し、そして高剪断速度は非標的及び標的結合ＣＮＴの両方を除去することができるので、高い選択性を達成するために剪断速度を最適化することが重要である。
【００３１】
同時に、ＣＮＴ上の抗体プローブが標的の飽和を回避するための標的の数よりも多くなるように、ＣＮＴの数を選択する必要がある。実際、標的濃度に関してＣＮＴの数を最適化することによって、ダイナミックレンジは標的飽和なしに線形的に拡大することができる。それで、純粋なストレプトアビジンサンプルの１００ａＭから１ｐＭの範囲について、ＣＮＴの最適数を用いて、較正曲線を図４に示す。グラフは、線形回帰からの相関係数０．９７で１００ａＭから１ｐＭの線形レジームを明らかにし、１００ａＭの検出限界はビオチン及びストレプトアビジン対の解離定数よりも２桁低い。１００ａＭの濃度では、図２Ｃからの線形相関に基づいて電極を横切ってブリッジする約１０個のＣＮＴがあり、そして全てのストレプトアビジンが結合すると仮定すると、ＣＮＴの各々に対する標的の数は約２０である。そのような低い検出限界は、「スイッチオン」状態での敏感なＣＮＴ電子トンネリング、及び電流に寄与するＣＮＴ又は電気化学反応がない「スイッチオフ」状態での低いベースライン電流及びノイズレベルの結果である。線形検量線は、より高いストレプトアビジン濃度が使用される場合、５桁以上であり得るダイナミックレンジを示す。全体として、ビオチン及びストレプトアビジン検出の使用例は、ナノセンサープラットフォームが、標的濃度に対して最適化されたＣＮＴ濃度を有する標的に対して高感度かつ選択的であることを示した。
【００３２】
図５Ａ〜５Ｂを参照すると、乳がんバイオマーカーＨＥＲ２及びＨＥＲ２抗体対は、本開示のナノセンサープラットフォームと共に使用した場合に通常より高い解離定数を有する実際のタンパク質及び抗体対に対するプラットフォームの感度及び選択性を評価するために選択される。ＨＥＲ２は乳がんの重要なバイオマーカーであり、その状態は乳がんが診断される場合にルーチンで評価される。ＨＥＲ２の過剰発現は、生存率の低下と再発までの時間の短縮の有意な予測因子である。ＨＥＲ２とその抗体のＫＤは約０．４４±０．０７ｎＭなので、低濃度でＨＥＲ２を検出するのはより困難である。この低結合親和性ペアの検出限界とダイナミックレンジとを見つるため、純粋なＨＥＲ２サンプルを最初にテストした。この実施例では、ＨＥＲ２サンプルを使用準備ができるまで−２０℃の冷凍庫に保存した。サンプルは使用前に０℃でゆっくり溶解した。陰性コントロールＨＥＲ２を１×ＰＢＳに溶解して１ｎＭの濃度にする一方で、標的ＨＥＲ２を１×ＰＢＳに溶解して１０ｐＭの濃度にした。
【００３３】
ナノセンサープラットフォーム１０の例では、標的、この場合ＨＥＲ２、の検出は、ＨＥＲ２溶液の２０μＬを使用して達成され、ビオチン官能化チップ上に添加し、そして室温でインキュベートした。インキュベーション後、非結合ストレプトアビジンを除去するため、チップを１×ＰＢＳで３回すすいだ。捕捉ＨＥＲ２抗体官能化ＣＮＴ溶液の１０μＬを０．１×ＰＢＳで１０，０００倍、１００，０００倍、及び１，０００，０００倍に希釈した。次に、上部電極をチップに取り付け、ＤＣ及びＡＣ誘電泳動支援配置下で電極を整列及び橋渡しする(bridge)ため、希釈捕捉ＨＥＲ２抗体官能化ＣＮＴの５μＬをチャネルに装填した。ＨＥＲ２の場合、１，０００，０００倍希釈のＣＮＴ溶液で１０ｆＭ〜１ｐＭの標的が検出された。１０，０００倍及び１，０００倍希釈のＣＮＴをそれぞれ１０ｐＭ及び１００ｐＭについて使用した。１×ＰＢＳを用いて０．５ｍＬ／分で２０分間せん断した後、電流を、Ｇａｍｍｒｙを用いて１Ｖで測定した。
【００３４】
較正曲線は図５Ａにおいて１０ｆＭから１００ｐＭまで作成された。グラフは、０．９８９の相関係数を有する全ての測定された標的濃度についての線形レジームを明らかにする。示されるように、検出限界は１０ｆＭであり、これはビオチン及びストレプトアビジンモデルの検出限界より高い。ＨＥＲ２の解離定数はビオチン及びストレプトアビジンの解離定数よりも１０，０００倍高いので、高濃度のインキュベートされた標的のみが流動剪断中に抗力に抗してＣＮＴを保持するための効率的なＡｂ−Ａｇ複合体を形成できる。１０ｆＭの検出限界は、そのＫＤ値よりも４桁低い。これは、はるかに低い標的濃度でＡｂ−Ａｇ錯体の形成を促進するＤＣ及びＡＣ  ＤＥＰ  ＣＮＴ堆積技術の結果である。この研究は、図５Ａ〜５Ｂに示されるこの研究は、例示的なナノセンサープラットフォームが５桁までのダイナミックレンジで非常に敏感であることを明らかに実証している。
【００３５】
図５Ａに示すように、非標的陰性コントロールとしてＨＥＲ２アイソフォームを用いて厳格な選択性試験を行った。このＨＥＲ２アイソフォームは、標的ＨＥＲ２と同じ結合親和性で検出抗体に結合する部分組換えタンパク質である。しかし、それはより低い親和性で捕捉抗体に結合する。この研究は、ナノセンサープラットフォームがそのような類似の標的分子を使用することによって「偽陽性」の結果を回避できることを示している。
【００３６】
乳がんバイオマーカーＨＥＲ２の比較のために、この陰性コントロール及びアイソフォーム混合物を導入した。この溶液に、ＨＥＲ２溶液の２０μＬ、２０μＬ、及び１０ｐＭ  ＨＥＲ２と１ｎＭの陰性コントロール非標的ＨＥＲ２との混合物２０μＬを添加し、室温でインキュベートすべき、それぞれ捕捉抗体官能化チップとした。インキュベーション後、チップを１×ＰＢＳで３回すすいだ。次に上部電極を取り付け、同じ濃度の１０，０００倍希釈検出ＨＥＲ２抗体官能化ＣＮＴの５μＬをチャネルに装填して、ＤＣ及びＡＣ誘電泳動支援配置下で電極を整列及びブリッジした。１×ＰＢＳを用いて０．５ｍＬ／分で２０分間剪断した後、Ｇａｍｒｙを用いて１Ｖで電流を測定し、その差を２つのチップ間で比較した。
【００３７】
図５Ｂは、流動剪断がＨＥＲ２アイソフォーム非標的結合ＣＮＴの９５％超を除去することを示す。しかし、ＨＥＲ２結合ＣＮＴ複合体は、非標的ＨＥＲ２のものよりも１０００倍高い電流で剪断ステップに耐えることができる。非標的ＨＥＲ２アイソフォームの濃度は１ｎＭであり、これは１０ｐＭの標的濃度より１００倍高く、これは数桁の要因による非標的の効果的な剪断増強識別を示している。センサーの選択性性能をさらに検証するために、１０ｐＭの標的と１ｎＭの非標的サンプルの混合物をテストした。１００倍多い非標的の存在にもかかわらず、電流値は、図５Ｂに示される非標的アイソフォームサンプルのそれよりも依然として３桁高い。混合物サンプルの電流は、標的と非標的との間の部位競合のために純粋な標的サンプルのそれよりわずかに少ない。全体として、ＨＥＲ２検出に適合したこの実施例のナノセンサープラットフォームはさらに、高濃度の非標的の存在にもかかわらず、流動剪断が標的に対して高度に選択的であることを確認する。
【００３８】
図６を参照すると、不均一サンプルを有する例示的なナノセンサープラットフォームの性能のさらなる検証が較正情報を提供するために行われた。ヒト血清は抗体との複雑な会合について標的と競合する可能性がある非標的タンパク質を豊富に含むため、この研究では、４つの異なる濃度のＨＥＲ２標的を選択し、それらを未希釈ヒト血清にスパイクした。この実施例における測定は、血清中の既存のＨＥＲ２の影響を排除するために異なるＣＮＴ濃度を有するベースラインを作成するためにヒト血清のみを用いて行われた。検量線を作成し、図６に提示した。グラフは、０．９８の相関係数を有する全ての測定された標的濃度に対する線形レジームを明らかにする。１００ｆＭの濃度では、検出された電流はベースラインのノイズラインをはるかに超えており、１００ｆＭより低い検出限界を示している。それにもかかわらず、１００ｆＭの検出は、ＨＥＲ２及びその抗体対の解離定数よりも既に３桁低い。これにより、検出感度は純粋なサンプルよりも１桁低くなる。しかしながら、１００ｆＭの検出は、市販のＨＥＲ２  ＥＬＩＳＡキットの限界よりも依然として優れている。同時に、検出ダイナミックレンジは４桁であり、この値は検量線の直線性に基づいてより高濃度の標的検出に対して増加し続けることができる。
【００３９】
実施例では、未希釈血清サンプル中の乳がんバイオマーカーＨＥＲ２の検出を、既知濃度のＨＥＲ２血清溶液２０μＬ中で試験し、室温でインキュベートするために捕捉抗体官能化チップに添加した。インキュベーション後、実施例のナノセンサープラットフォーム１０を有するチップを１×ＰＢＳで３回すすいで、結合していないＨＥＲ２を除去した。次に、上部電極をナノセンサープラットフォーム１０に取り付けた。ＤＣ及びＡＣ誘電泳動支援配置下で電極を整列及び橋渡しする(bridge)ため、希釈検出ＨＥＲ２抗体官能化ＣＮＴの５μＬをチャネルに装填した。１００ｆＭ〜１ｐＭのＨＥＲ２が、１，０００，０００倍希釈のＣＮＴ溶液で検出された。１０，０００倍及び１，０００倍希釈のＣＮＴをそれぞれ１０ｐＭ及び１００ｐＭに使用した。１×ＰＢＳを用いて０．５ｍＬ／分で２０分間せん断した後、電流を、Ｇａｍｍｒｙを用いて１Ｖで測定した。
【００４０】
全体として、高感度で選択的かつ定量化可能なＣＮＴ−ＥＬＩＳＡナノセンサープラットフォームは、本開示の教示によるタンパク質検出用であり、これは標的と結合するために電極を横切って橋渡しする(bridge)ように個々の抗体官能化ＣＮＴを組み立てる。ＣＮＴは、標的−リンカーのための輸送体及びレポーターの両方として機能する。ＤＣ電気泳動及びＡＣ誘電泳動支援堆積及びアセンブリは、それらをより接近させることによって標的及び抗体の結合を促進しながら迅速なＣＮＴ堆積を達成するのを助ける。１×ＰＢＳ流体力学的剪断の使用は、非標的(no-targets)又は非標的(non-targets)に結合したＣＮＴを不可逆的に除去するＣＮＴに対する抗力を高め、したがって、熱力学的限界を超えて選択性をも高める。結果として、上述の例示的なナノセンサープラットフォームは、２０μLのサンプル体積内で、それぞれ１００ａＭ及び１０ｆＭまでの低解離定数モデル及び高解離定数モデルを検出する。同時に、このような非標的が標的を３桁上回る場合であっても、アッセイは類似の結合親和性を有する非標的に対して非常に選択的である。ヒト血清の結果を用いた実施例のデバイスの試験は、アッセイが０．４４±０．０７ｎＭ  ＫＤを有する複合体について１００ｆＭより低い検出限界で、不均一混合物中で感度が高くそして選択的であり続けることをさらに確認する。したがって、例示的なナノセンサープラットフォームは、初期ＣＮＴ濃度を標的濃度でスケーリングすることによって、ＨＥＲ２血清サンプルについてのサブｆＭ検出限界（２桁の改善）及び４桁のダイナミックレンジ（１又は２桁の改善）によって従来のＥＬＩＳＡアッセイの性能を潜在的に改善した。
【００４１】
したがって、明細書に開示される例示的なナノセンサープラットフォームは、ＣＮＴに関連した非平衡現象及び不可逆現象により、ＥＬＩＳＡ複合体の熱力学的感度及び選択性の両方を著しく向上させる。ＣＮＴは、正確ではあるが迅速な組み立て技術と組み合わせて、捕捉剤、報告剤及び選択性向上剤として使用される。ＣＮＴの高いアスペクト比はそれらに大きな誘導双極子、大きな誘電泳動移動度及び大きな流体力学的抗力を与える。１μｍ離れた平行金電極上にポリクローナル捕捉抗体と結合するように標的を導入した後、電極対を横切って集まるため、抗原−抗体−抗原（Ａｂ−Ａｇ−Ａｂ）ＥＬＩＳＡ複合体を形成するため、ラップしたＤＮＡを有するモノクローナル検出抗体官能化ＣＮＴを含有する溶液をＤＣ電気泳動及びＡＣ誘電泳動（ＤＥＰ）によって駆動する。迅速かつ不可逆的なＤＣ及びＡＣ  ＤＥＰトラッピングは、平衡状態での分子会合によって許容されるよりも多くの標的を捕捉するだけでなく、拡散律速アッセイと比較して全体のアッセイ時間を著しく短縮する。以前の研究は、２つの平行電極を横切って組み立てられたＣＮＴにおける高ＡＣ場が、誘電泳動によって流動溶液中の細菌及び長いＤＮＡを迅速に単離し得ることを証明している。次に、非標的ＣＮＴ複合体を不可逆的に剪断除去するため、クロスフローが組み立てられたＣＮＴを通過して、それによってプラットフォームの選択性を高める。ＣＮＴの流体力抗力はＣＮＴのアスペクト比の自然対数に反比例するので、当該力はＣＮＴなしの通常の洗浄力より２桁大きくなる。ＣＮＴがアセンブリ内で完全に整列しているので、Ａｂ−Ａｇ対に対して最適な選択性を達成するため、力を剪断速度で正確に調整することができる。標的−ＣＮＴ複合体のみが剪断後に残存し、そして検出可能な標的の数は、大きなダイナミックレンジを生じるように容易に調整することができるＣＮＴ数によって支配される。その結果、我々は、５桁の(5-decade)ダイナミックレンジにわたって１aＭ未満の（sub-aM）感度及び高い特異性で、単純かつ迅速である開示されたロバストなＣＮＴタンパク質ナノセンサープラットフォームを開発した。
【００４２】
しかしながら、試験例のＣＮＴ−ＦＥＴ電荷センサは、ＣＮＴの表面から１デバイ長以内の荷電タンパク質しか検出することができず、したがってサンプルのイオン強度に敏感であることが知られている。酵素的／酸化還元レポーターが電流信号を増幅するとしても、それらの電気活性種の活性は、標的タンパク質の立体配座に影響を及ぼし、及び従って試験例における検出感度を制限する可能性がある媒体ｐＨによって強く影響される。さらに、レドックスプローブ又は酵素の長期存在は、固定化タンパク質の活性に影響を与える。酵素機能性の安定性及び酵素結合抗体の熱力学的親和性は、高いＣＮＴ感度を潜在的に妥協することができる。
【００４３】
本明細書では特定の例示的な方法及び装置を説明したが、本特許の対象範囲はそれに限定されない。それどころか、この特許は、文字通りに又は均等論の下で、添付の特許請求の範囲内に公正に含まれるすべての方法、装置、及び製造品を網羅する。
【配列表フリーテキスト】
【００４４】
【図１】
2019537010.tif 000003
【図２Ａ】
2019537010.tif 000004
【図２Ｂ】
2019537010.tif 000005
【図２Ｃ】
2019537010.tif 000006
【図３Ａ】
2019537010.tif 000007
【図３Ｂ】
2019537010.tif 000008
【図３Ｃ】
2019537010.tif 000009
【図４Ａ】
2019537010.tif 000010
【図４Ｂ】
2019537010.tif 000011
【図５Ａ】
2019537010.tif 000012
【図５Ｂ】
2019537010.tif 000013
【図６】
2019537010.tif 000014
【配列表】
2019537010000001.app
【国際調査報告】
2019537010.tif 000015